(57)【特許請求の範囲】
【請求項１】
第１の回路基板と、
第２の回路基板と、
前記第１の回路基板と前記第２の回路基板とに電気的に接続されたケーブルと、
導電性金属シャーシからなるフレームグランドと、
前記フレームグランドと同一部材にて形成されるグランド部材とを備え、
前記グランド部材は、前記第１および、または第２の回路基板における前記ケーブルが接続された側の端部で、前記第１および、または第２の回路基板のグランドに接続されており、さらに、前記グランド部材は、前記フレームグランドに接続されており、
前記ケーブルは、前記グランド部材に沿って、または、前記グランド部材並びに前記フレームグランドに沿って配置されていることを特徴とするケーブルを備えた電気機器。
【請求項２】
ケーブルがフレームグランドに固着されていることを特徴とする請求項１記載のケーブルを備えた電気機器。
【請求項３】
フレームグランドにケーブルを配置するためのガイドが形成されていることを特徴とする請求項１から２までのいずれか１項記載のケーブルを備えた電気機器。
【請求項４】
ガイドは、ケーブルに沿った溝状に形成されているか、または、ケーブルを通すための孔を有することを特徴とする請求項３記載のケーブルを備えた電気機器。
【請求項５】
ケーブルがフレキシブルケーブルであることを特徴とする請求項１から４までのいずれか１項記載のケーブルを備えた電気機器。
【請求項６】
複数の電極を有するマトリクス駆動型の平面ディスプレイパネルと、前記平面ディスプレイパネルのドライバー駆動回路とを備えたことを特徴とする請求項１から５までのいずれか１項記載のケーブルを備えた電気機器。
【発明の詳細な説明】
【０００１】
【発明の属する技術分野】
本発明はケーブルを備えた電気機器に関し、特に、マトリクス駆動型の平面ディスプレイパネルを有するテレビあるいはディスプレイなどの表示装置における不要輻射ノイズを低減するグランド構造を有し、かつ特に高周波領域のノイズに対する特性改善を目標にした、ケーブルを備えた電気機器に関する。
【０００２】
【従来の技術】
従来のマトリクス駆動型の平面ディスプレイパネルを有する表示装置（ここではプラズマディスプレイパネル表示装置として説明する）では、平面ディスプレイパネルにマトリクス状の画素が形成されている。
【０００３】
以下、図面を参照しながら、従来のプラズマディスプレイパネル（以下、「ＰＤＰ」と称する）表示装置について説明する。図１５は従来のＰＤＰの構成を説明するための斜視図、図１６は従来のＰＤＰの電極構造を説明するための斜視図である。
【０００４】
図１５に示すように、ガラス基板等からなるＰＤＰパネル１０の非表示面側には、保持板であるシャーシ１１が配置されており、ＰＤＰパネル１０を保持している。シャーシ１１は、アルミからなる導電性金属板であり、電気回路的にはフレームグランド（以下、「ＦＧ」と称する）として機能している。１２はＰＤＰパネル１０を縦向きに支持するためのスタンドで、支持台１２ａとスタンド支柱１２ｂとを有する。
【０００５】
ドライバー駆動回路１３ａ、１３ｂ、中継回路基板１３ｃ、放電制御回路１３ｄが、シャーシ１１の背面側に配置されている。走査、維持電極では、ドライバー駆動回路１３ａから発生した駆動信号は、フレキシブルケーブル１５ａによってＰＤＰパネル１０の電極１４に伝えられる。書き込み電極では、放電制御回路１３ｄで発生した高周波信号が、フレキシブルケーブル１５ｄによって中継回路基板１３ｃに伝えられ、フレキシブルケーブル１５ｃによってドライバー駆動回路１３ｂに伝えられ、ドライバー駆動回路１３ｂで駆動信号が発生して、フレキシブルケーブル１５ｂによってＰＤＰパネル１０の電極１４に伝えられる。走査、維持電極のドライバー駆動回路１３ａのシグナルグランド（以下、「ＳＧ」と称する）はＡ点で、書き込み電極のドライバー駆動回路１３ｂのＳＧはＢ点で、中継回路基板１３ｃはＣ点で、放電制御回路１３ｄはＤ点で、それぞれＦＧであるシャーシ１１に接地されている。
【０００６】
図１６に示すように、非表示面側にシャーシ１１が配置されたＰＤＰパネル１０には、表示面側の前面ガラス基板２０に維持電極１４ａ、走査電極１４ｂが設けられ、対向する背面ガラス基板２４に書き込み電極１４ｃが形成されている。前面ガラス基板２０には誘電体層２１が形成されている。書き込み電極１４ｃには、プラズマ放電が隣の電極に影響を及ぼさないように、分離用の隔壁２２が構成されている。書き込み電極１４ｃの上には、赤２３ａ、青２３ｂ、緑２３ｃの蛍光体が塗り分けられ、表示面側の前面ガラス基板２０とこれに対向する背面ガラス基板２４との間の放電空間には放電ガスが封入されており、ドライバー駆動回路１３ａ、１３ｂにより選択されたセルがプラズマ放電し、赤２３ａ、青２３ｂ、緑２３ｃのそれぞれの蛍光体が発光することで、カラー画像を形成する。
【０００７】
しかしながら、上記のようなＰＤＰに関し、ＶＣＣＩ（情報処理装置等電波障害自主規制協議会）の基準に基づく電波の不要輻射の項目について検討すると、維持電極１４ａ、走査電極１４ｂには１００Ｖｐ−ｐから２００Ｖｐ−ｐのパルス電圧の信号が印加され、書き込み電極１４ｃには３０Ｖｐ−ｐから１００Ｖｐ−ｐのパルス電圧の信号が印加され、上記信号の基本波およびそれらの高調波等の電磁妨害波を空中に放射するため、不要輻射ノイズレベルが大きく、他の電子機器に電磁的な悪影響を及ぼすという課題があった。
【０００８】
従来のＰＤＰで、特にケーブル部からの大きな不要輻射ノイズに関して、フレキシブルケーブル（書き込み電極ドライバー用）１５ｃを例として、その発生の理由を考察する。図１７は従来のＰＤＰのケーブル部での高周波電流の流れを説明するためのＣＳ断面から斜視した説明図である。中継回路基板１３ｃからドライバー駆動回路１３ｂへのフレキシブルケーブル１５ｃを高周波信号４０が通ると、この高周波信号４０のリターン電流４１は、ＦＧであるシャーシ１１に発生し、中継回路基板１３ｃではＳＧとＦＧの接続位置であるＣ点を通り、ドライバー駆動回路１３ｂではＢ点を通るので、図中の高周波電流経路４２が形成される。６１は、中継回路基板１３ｃおよびドライバー駆動回路１３ｂにおけるグランドラインである。この大きなループによって不要輻射ノイズが空中に放射される。また、図示していないが、中継回路基板１３ｃまたはドライバー駆動回路１３ｂで電源ラインに誘起された高周波電流がフレキシブルケーブル１５ｃを通ることで、高周波信号４０に対する高周波電流経路４２と同等の大きなループが発生し、不要輻射ノイズが空中に放射される。
【０００９】
この解決策として、図１８に示すように、電磁妨害波を遮断することを目的として、アルミからなる導電性金属筐体３０と、銀蒸着による導電性膜または導電性金属メッシュを表面に形成した導電性前面ガラス３１により、スタンド１２にて支持されるとともに非表示面側にシャーシ１１が配置されたＰＤＰパネル１０の周囲に電磁シールドを形成することで、電磁妨害波を遮断する構造がとられている。
【００１０】
【発明が解決しようとする課題】
しかしながら、上記のようなＰＤＰの電磁シールド構造では、導電性前面ガラス３１がＰＤＰの表示面側に配設されるため、無色透明の導電体を用いなければ、放電により発光される可視光線が遮断され輝度が低下するという課題がある。しかも、透明の導電膜では、電気抵抗が大きいために、電磁妨害波を十分に遮断することができないという問題がある。
【００１１】
そこで本発明は、前記課題に鑑み、平面ディスプレイパネルから発生する電磁妨害波を遮断するための導電性金属筐体と導電性前面ガラスによる電磁シールドを不要として、導電性前面ガラスによる輝度低下を抑制し、格段の高画質を実現できる表示装置を提供可能な、ケーブルを備えた電気機器を提供することを目的とする。
【００１２】
【課題を解決するための手段】
この目的を達成するため本発明は、第１の回路基板と、第２の回路基板と、前記第１の回路基板と前記第２の回路基板とに電気的に接続されたケーブルと、導電性金属シャーシからなるＦＧと、前記ＦＧと同一部材にて形成されるグランド部材とを備え、前記グランド部材は、前記第１および、または第２の回路基板における前記ケーブルが接続された側の端部で、前記第１および、または第２の回路基板のグランドに接続されており、さらに、前記グランド部材は、前記ＦＧに接続されており、前記ケーブルは、前記グランド部材に沿って、または、前記グランド部材並びに前記ＦＧに沿って配置されているようにしたものである。
【００１３】
このように構成することで、ケーブルを流れる高周波信号とＦＧを流れるリターン電流とが作る高周波電流経路を極小化でき、特に不要輻射ノイズが大きいケーブル部からの電磁妨害波の発生を抑制できる。
【００２５】
この発明では、好ましくは、ケーブルがＦＧに固着されている。さらに、好ましくは、ＦＧにケーブルを配置するためのガイドが形成され、このガイドは、ケーブルに沿った溝状であるか、または、ケーブルを通すための孔を有する。さらに、好ましくは、前記ケーブルがフレキシブルケーブルである。
【００２８】
この発明では、好ましくは、複数の電極を有するマトリクス駆動型の平面ディスプレイパネルと、前記平面ディスプレイパネルのドライバー駆動回路とを備えている。
【００２９】
【発明の実施の形態】
（第１の実施の形態）
この発明の第１の実施の形態を図１から図３に基づいて説明する。表示装置としては、ＰＤＰを有するカラーテレビを例示する。
【００３０】
図１はこの発明の第１の実施の形態のケーブルを備えた電気機器としてのＰＤＰの構成を説明するための斜視図であり、実施の形態としてのカラーテレビの電磁妨害波の不要輻射に深く関連する構造物のみを示している。図２は図１のＰＤＰの電極構造を説明するための斜視図、図３は図１のＰＤＰのケーブル部での高周波電流の流れを説明するためのＣＳ断面から斜視した説明図である。
【００３１】
図１において、本実施の形態のカラーテレビには、複数の電極１４を有するマトリクス駆動型の平面ディスプレイパネルである例えばガラス基板等からなるＰＤＰパネル１０と、ＰＤＰパネル１０の非表示面側に配置されてこのＰＤＰパネル１０を保持している保持板であるシャーシ１１とが配置されている。１２はＰＤＰパネル１０を縦向きに支持するためのスタンドで、支持台１２ａとスタンド支柱１２ｂとを有する。ドライバー駆動回路１３ａ、１３ｂ、中継回路基板１３ｃ、放電制御回路１３ｄは、シャーシ１１の背面側に配置されている。走査、維持電極では、ドライバー駆動回路１３ａから発生した駆動信号は、フレキシブルケーブル１５ａによってＰＤＰパネル１０の電極１４に伝えられる。書き込み電極では、放電制御回路１３ｄで発生した高周波信号が、フレキシブルケーブル１５ｄによって中継回路基板１３ｃに伝えられ、フレキシブルケーブル１５ｃによってドライバー駆動回路１３ｂに伝えられ、ドライバー駆動回路１３ｂで駆動信号が発生して、フレキシブルケーブル１５ｂによってＰＤＰパネル１０の電極１４に伝えられる。
【００３２】
図２に示すように、ＰＤＰパネル１０には、表示面側の前面ガラス基板２０に維持電極１４ａ、走査電極１４ｂが設けられ、対向する背面ガラス基板２４に書き込み電極１４ｃが形成されている。前面ガラス基板２０には誘電体層２１が形成されている。書き込み電極１４ｃには、プラズマ放電が隣の電極に影響を及ぼさないように、分離用の隔壁２２が構成されている。書き込み電極１４ｃの上には、赤２３ａ、青２３ｂ、緑２３ｃの蛍光体が塗り分けられ、表示面側の前面ガラス基板２０と対向する背面ガラス基板２４の間の放電空間には、放電ガスが封入されており、ドライバー駆動回路１３ａ、１３ｂにより選択されたセルがプラズマ放電し、赤２３ａ、青２３ｂ、緑２３ｃのそれぞれの蛍光体が発光することで、カラー画像を形成する。
【００３３】
シャーシ１１は、例えばアルミからなる導電性金属板であり、電気回路的にはフレームグランド（ＦＧ）として機能している。走査、維持電極のドライバー駆動回路１３ａのシグナルグランド（ＳＧ）はＡ点で、書き込み電極のドライバー駆動回路１３ｂのＳＧはＢ点で、中継回路基板１３ｃはＣ点で、放電制御回路１３ｄはＤ点で、それぞれＦＧであるシャーシ１１に接地されている。
【００３４】
図３に示すように、フレキシブルケーブル１５ｃの両端部で、第１の回路基板である中継回路基板１３ｃのＳＧと第２の回路基板であるドライバー駆動回路１３ｂのＳＧとを、それぞれ導電性ネジ５０を用いてＦＧであるシャーシ１１に接続し、またフレキシブルケーブル１５ｃをシャーシ１１に沿うようにこのシャーシ１１に近接して配置することで、ケーブル１５ｃを流れる高周波信号４０とシャーシ１１を流れるリターン電流４１とが作る高周波電流経路４２を極小化することができる。これにより、特に不要輻射ノイズが大きいケーブル部からの電磁妨害波の発生を抑制できる。
【００３５】
さらに、図示しないが、フレキシブルケーブル１５ｃの端部の近傍において、中継回路基板１３ｃのＳＧと電源ラインとをコンデンサーを介して電気的に接続し、かつ、ドライバー駆動回路１３ｂのＳＧと電源ラインとをコンデンサーを介して電気的に接続することで、電源ラインに誘起された高周波電流をフレキシブルケーブル１５ｃの両端部でＦＧに流れ込ませることができる。これにより、フレキシブルケーブル１５ｃの電源ラインを通る高周波電流を極小化でき、特に不要輻射ノイズが大きいケーブル部からの電磁妨害波の発生を抑制できる。
【００３６】
以上のように、第１の回路基板である中継回路基板１３ｃと第２の回路基板であるドライバー駆動回路１３ｂとを電気的に接続するケーブル１５ｃの両端部で、第１の回路基板である中継回路基板１３ｃのグランドと第２の回路基板であるドライバー駆動回路１３ｂのグランドとが、それぞれ導電性金属シャーシ１１からなるＦＧに接続し、かつケーブル１５ｃをシャーシ１１に近接して配置することで、高周波電流経路４２を極小化できて電磁妨害波の発生を抑制できる。このため、平面ディスプレイパネルから発生する電磁妨害波を遮断するための図１８に示したような従来の導電性金属筐体と導電性前面ガラスによる電磁シールドが不要であり、したがって従来の方法に比べて平面ディスプレイパネルを有する表示装置を廉価に製造することができ、また導電性前面ガラスによる輝度低下を抑制できて、格段の高画質を実現できる。
【００３７】
なお、第１の実施の形態として、フレキシブルケーブル１５ｃをＦＧであるシャーシ１１の表面に沿って配置したものを例として述べたが、フレキシブルケーブル１５ｃをシャーシ１１に固着すると、高周波電流経路を極小化でき、さらには安定した経路長とすることができ、電磁妨害波の発生が抑制できる。
【００３８】
また、この第１の実施の形態では、ケーブルとして書き込み電極ドライバー用のフレキシブルケーブル１５ｃを例として述べたが、走査、維持電極用のフレキシブルケーブル、書き込み電極用のフレキシブルケーブル、中継回路基板用のフレキシブルケーブル等のケーブルに対しても同様の構成を適用して、同様の効果を得ることができる。
【００３９】
（第２の実施の形態）
この発明の第２の実施の形態を図４に基づいて説明する。表示装置としては、同様にＰＤＰを有するカラーテレビを例示する。
【００４０】
図４は、この発明の第２の実施の形態のケーブルを備えた電気機器としてのＰＤＰのケーブル部での高周波電流の流れを説明するための、ＣＳ断面から斜視した説明図であり、実施の形態としてのカラーテレビの電磁妨害波の不要輻射に深く関連する構造物のみを示している。この図４における第２の実施の形態のケーブルを備えた電気機器は、フレキシブルケーブル１５ｃの両端部で、フレキシブルケーブル１５ｃのグランドラインが、導電性ネジ５０を用いて、それぞれＦＧであるシャーシ１１に接続されるように構成されているところが、図１から図３に示した第１の実施の形態と異なる。中継回路基板１３ｃのＳＧとドライバー駆動回路１３ｂのＳＧとは、それぞれＦＧであるシャーシ１１に接続されている。１３ｃは中継回路基板、１３ｂはドライバー駆動回路、４０は高周波信号、４１はリターン電流、４２は高周波電流経路で、これらは図３のものと同じである。
【００４１】
第１の実施の形態では、ＳＧとＦＧの接続箇所が、回路基板におけるケーブルの配線が集中する部分であり、この部分にＳＧとＦＧの接続のためのスペースを必要とする。これに対し、ここでは、以上のように、ケーブル１５ｃの両端部で、ケーブル１５ｃのグランドラインをＦＧに接続することで、回路基板１３ｃ、１３ｂにはＳＧとＦＧとの接続のためのスペースを必要としない。このため高周波電流経路を極小化できて電磁妨害波の発生を抑制でき、平面ディスプレイパネルから発生する電磁妨害波を遮断するための導電性金属筐体と導電性前面ガラスによる電磁シールドが不要であり、したがって従来のものに比べて平面ディスプレイパネルを有する表示装置を廉価に製造することができ、また導電性前面ガラスによる輝度低下を抑制でき、格段の高画質を実現できる。
【００４２】
なお、第２の実施の形態として、フレキシブルケーブル１５ｃの両端部で、このケーブル１５ｃのグラントラインとシャーシ１１とを導電性ネジ５０で接続した場合を例として述べたが、フレキシブルケーブル１５ｃをガイドで固定したうえで、図５に示すような導電性バネ５１、または、図６に示すような導電性ガスケット５２等の、他の導電性金属部材で接続する場合も、同様の効果を奏する。これら図５および図６において、１３ｃは中継回路基板、１３ｂはドライバー駆動回路、４０は高周波信号、４１はリターン電流、４２は高周波電流経路である。図５において、帯状のフレキシブルケーブル１５ｃは、シャーシ１１に設けられた溝状ガイド５３にその端部がはめ込まれることで、この溝状ガイド５３で固定されている。図６においては、帯状のフレキシブルケーブル１５ｃは、シャーシ１１に設けられた孔状ガイド５４に通された状態で、この孔状ガイド５４によって、導電性ガスケット５２とともに固定されている。
【００４３】
また、第１および第２の実施の形態として、フレキシブルケーブル１５ｃが中継回路基板１３ｃのＦＧすなわちシャーシ１１側に接続される場合を例として述べたが、図７に示すようにフレキシブルケーブル１５ｃが中継回路基板１３ｃにおけるシャーシ１１とは反対側に接続される場合であっても、同様の効果を奏する。
【００４４】
（第３の実施の形態）
この発明の第３の実施の形態を図８に基づいて説明する。表示装置としては、同様にＰＤＰを有するカラーテレビを例示する。
【００４５】
図８は、この発明の第３の実施の形態のケーブルを備えた電気機器としてのＰＤＰのケーブル部での高周波電流の流れを説明するための、ＣＳ断面から斜視した説明図であり、実施の形態としてのカラーテレビの電磁妨害波の不要輻射に深く関連する構造物のみを示している。この図８における第３の実施の形態のケーブルを備えた電気機器は、中継回路基板１３ｃとドライバー駆動回路１３ｂとにおける、フレキシブルケーブル１５ｃが接続される側の端部で、これら中継回路基板１３ｃのＳＧとドライバー駆動回路１３ｂのＳＧが、導電性金属からなるグランド板５５でＦＧであるシャーシ１１に接続され、かつフレキシブルケーブル１５ｃがグランド板５５に沿って配置されているところが、図４に示した第２の実施の形態と異なる。
【００４６】
以上のように、第１および、または第２の回路基板１３ｃ、１３ｂにおけるケーブル１５ｃが接続される側の端部において、これら第１および、または第２の回路基板１３ｃ、１３ｂのグランドを、導電性金属からなるグランド板５５でシャーシ１１に接続し、かつケーブル１５ｃがグランド板５５に沿うように配置することで、高周波電流経路４２を極小化できて電磁妨害波の発生が抑制できる。このため、平面ディスプレイパネルから発生する電磁妨害波を遮断するための図１８に示したような従来の導電性金属筐体と導電性前面ガラスによる電磁シールドが不要であり、したがって従来の方法に比べて平面ディスプレイパネルを有する表示装置を廉価に製造することができ、また導電性前面ガラスによる輝度低下を抑制できて、格段の高画質を実現できる。
【００４７】
なお、第３の実施の形態として、導電性金属からなるグランド板５５でＳＧとＦＧとを接続する場合を例として述べたが、図９に示すようにＦＣとしてのシャーシ１１の一部でグランド板５６を形成して、そのグランド板５６の端部でＳＧとＦＧが接続されていても、同様の効果を奏する。
【００４８】
（第４の実施の形態）
この発明の第４の実施の形態を図１０に基づいて説明する。表示装置としては、同様にＰＤＰを有するカラーテレビを例示する。
【００４９】
図１０は、この発明の第４の実施の形態のケーブルを備えた電気機器としてのＰＤＰのケーブル部での高周波電流の流れを説明するための、ＣＳ断面から斜視した説明図であり、実施の形態としてのカラーテレビの電磁妨害波の不要輻射に深く関連する構造物のみを示している。この図１０における第４の実施の形態の表示装置は、フレキシブルケーブル１５ｃに沿って導電性金属からなるケーブルグランド５７が配置され、このケーブルグランド５７がＦＧとしてのシャーシ１１に接続され、このケーブルグランド５７とフレキシブルケーブル１５ｃとの間には導電性ガスケット５２が設けられているところが、図４に示した第２の実施の形態と異なる。中継回路基板１３ｃのＳＧと、ドライバー駆動回路１３ｂのＳＧと、フレキシブルケーブル１５ｃのケーブルグランドとは、それぞれＦＧであるシャーシ１１に接続されている。１３ｃは中継回路基板、１３ｂはドライバー駆動回路、４０は高周波信号、４１はリターン電流、４２は高周波電流経路で、これらは図４のものと同じである。
【００５０】
このように、ケーブル１５ｃに沿って導電性金属からなるケーブルグランド５７を配置し、このケーブルグランド５７をＦＧとしてのシャーシ１１に接続することで、高周波電流経路４２を極小化できて電磁妨害波の発生を抑制できる。このため、平面ディスプレイパネルから発生する電磁妨害波を遮断するための図１８に示したような従来の導電性金属筐体と導電性前面ガラスによる電磁シールドが不要であり、したがって従来の方法に比べて平面ディスプレイパネルを有する表示装置を廉価に製造することができ、また導電性前面ガラスによる輝度低下を抑制できて、格段の高画質を実現できる。
【００５１】
なお、第４の実施の形態として、導電性金属からなるケーブルグランド５７を配置する場合を例として述べたが、ＦＧとしてのシャーシ１１の一部でケーブルグランド５７を形成しても同様の効果を奏する。
【００５２】
また、第４の実施の形態として、導電性金属からなるケーブルグランド５７をフレキシブルケーブル１５ｃの背面に配置する場合を例として述べたが、図１１に示すようにケーブルグランド５７が孔５８を有し、この孔５８にフレキシブルケーブル１５ｃが通って配置されている構成であっても、同様の効果を奏する。
【００５３】
（第５の実施の形態）
この発明の第５の実施の形態を図１２に基づいて説明する。表示装置としては、同様にＰＤＰを有するカラーテレビを例示する。
【００５４】
図１２は、この発明の第５の実施の形態のケーブルを備えた電気機器としてのＰＤＰのケーブル部での高周波電流の流れを説明するための、ＣＳ断面から斜視した説明図であり、実施の形態としてのカラーテレビの電磁妨害波の不要輻射に深く関連する構造物のみを示している。この図１２における第５の実施の形態のケーブルを備えた電気機器は、ケーブルグランド５７が凹部５９を有し、中継回路基板１３ｃの端部がケーブルグランド５７の凹部５９に差し込まれて、中継回路基板１３ｃのＳＧとケーブルグランド５７とが接続されるように構成されているところが、図１０に示した第４の実施の形態と異なる。
【００５５】
このように、中継回路基板１３ｃの端部をケーブルグランド５７の凹部５９に差し込んで、中継回路基板１３ｃのＳＧとケーブルグランド５７とを接続することで、この中継回路基板１３ｃのＳＧとケーブルグランド５７との接続性を向上させたうえで、高周波電流ループ４２を極小化できて電磁妨害波の発生を抑制できる。このため、平面ディスプレイパネルから発生する電磁妨害波を遮断するための図１８に示したような従来の導電性金属筐体と導電性前面ガラスによる電磁シールドが不要であり、したがって従来の方法に比べて平面ディスプレイパネルを有する表示装置を廉価に製造することができ、また導電性前面ガラスによる輝度低下を抑制できて、格段の高画質を実現できる。
【００５６】
（第６の実施の形態）
この発明の第６の実施の形態を図１３に基づいて説明する。表示装置としては、同様にＰＤＰを有するカラーテレビを例示する。
【００５７】
図１３は、この発明の第６の実施の形態のケーブルを備えた電気機器としてのＰＤＰのケーブル部での高周波電流の流れを説明するための、ＣＳ断面から斜視した説明図であり、実施の形態としてのカラーテレビの電磁妨害波の不要輻射に深く関連する構造物のみを示している。この図１３における第６の実施の形態の表示装置は、フレキシブルケーブル１５ｃに、導電性金属テープからなるケーブルグランド６０が接着されているところが、図１０に示した第４の実施の形態と異なる。フレキシブルケーブル１５ｃとケーブルグランド６０との間には、導電性ガスケット５２が設けられている。ケーブルグランド６０の両端は、フレキシブルケーブル１５ｃから突出するように折り曲げられた状態で、ＦＧとしてのシャーシ１１に接続されている。
【００５８】
図１５に示した従来例と図１３に示した第６の実施の形態とのそれぞれ４２型のＰＤＰテレビの放射ノイズの測定結果の比較を、図１４に示す。放射ノイズの測定方法は、ＰＤＰテレビを電波暗室のなかの回転テーブルに設置し、テーブルを回転させて、３ｍ遠方の電界強度の最大値を、周波数ごとに測定した。
【００５９】
フレキシブルケーブル１５ｃに導電性金属テープからなるケーブルグランド６０を接着し、ケーブルグランド６０をＦＧとしてのシャーシ１１に接続することで、高周波電流経路４２を極小化できて電磁妨害波の発生を抑制でき、したがって、図１４に示すように、従来に比べて放射ノイズレベルを低減することができる。
【００６０】
以上のように、ケーブル１５ｃに沿って導電性金属テープからなるケーブルグランド６０を配置し、ケーブルグランド６０をＦＧとしてのシャーシ１１に接続することで、高周波電流経路４２を極小化できて電磁妨害波の発生を抑制できる。このため、平面ディスプレイパネルから発生する電磁妨害波を遮断するための図１８に示したような従来の導電性金属筐体と導電性前面ガラスによる電磁シールドが不要であり、したがって従来の方法に比べて平面ディスプレイパネルを有する表示装置を廉価に製造することができ、また導電性前面ガラスによる輝度低下を抑制できて、格段の高画質を実現できる。
【００６１】
なお、上記の各実施の形態においてはＰＤＰについて述べたが、本発明はこれに限られるものではなく、液晶等の複数の電極を有するマトリクス駆動型の平面ディスプレイパネルを有する表示装置の全てや、その他の、ケーブルを備えた電気機器に適用でき、同様の効果を奏するものである。
【００６２】
なお、上記の実施の形態ではアルミからなるシャーシ１１の場合を例として述べたが、銅などの他の導電性材料からなるシャーシを有する表示装置にも適用できる。
【００６３】
また、上記の実施の形態ではシャーシ１１がＦＧである場合を例として述べたが、他の導電部材をＦＧとして機能させる表示装置にも適用できる。
また、上記においては４２型のカラーテレビを例として述べたが、その他のサイズの表示装置にも適用できる。
【００６４】
【発明の効果】
以上述べたように本発明によると、第１の回路基板と、第２の回路基板と、前記第１の回路基板と前記第２の回路基板とに電気的に接続されたケーブルと、導電性金属シャーシからなるフレームグランドと、前記フレームグランドと同一部材にて形成されるグランド部材とを備え、前記グランド部材は、前記第１および、または第２の回路基板における前記ケーブルが接続された側の端部で、前記第１および、または第２の回路基板のグランドに接続されており、さらに、前記グランド部材は、前記フレームグランドに接続されており、前記ケーブルは、前記グランド部材に沿って、または、前記グランド部材並びに前記フレームグランドに沿って配置されているようにしたため、ケーブルを流れる高周波信号とＦＧを流れるリターン電流とが作る高周波電流経路を極小化でき、この高周波電流経路から空中に放射される駆動信号による電磁妨害波の発生を抑制できる。
このため、例えば平面ディスプレイパネルから発生する電磁妨害波を遮断するための導電性金属筐体と導電性前面ガラスによる電磁シールドが不要となり、従来のものに比べて平面ディスプレイパネルを有する表示装置を廉価に製造することができるとともに、導電性前面ガラスによる輝度低下を抑制できて、格段の高画質を実現できる。
【図面の簡単な説明】
【図１】本発明の第１の実施の形態の電気機器としてのＰＤＰの構成を説明するための斜視図
【図２】図１のＰＤＰの電極構造を説明するための斜視図
【図３】図１のＰＤＰにおけるケーブル部での高周波電流の流れを説明するための、ＣＳ断面から斜視した図
【図４】本発明の第２の実施の形態の電気機器としてのＰＤＰのケーブル部での高周波電流の流れを説明するためのＣＳ断面から斜視した図
【図５】第２の実施の形態の変形例におけるケーブル部での高周波電流の流れを説明するためのＣＳ断面から斜視した図
【図６】第２の実施の形態の他の変形例におけるケーブル部での高周波電流の流れを説明するためのＣＳ断面から斜視した図
【図７】第２の実施の形態のさらに他の変形例におけるケーブル部での高周波電流の流れを説明するためのＣＳ断面から斜視した図
【図８】本発明の第３の実施の形態の電気機器としてのＰＤＰのケーブル部での高周波電流の流れを説明するためのＣＳ断面から斜視した図
【図９】第３の実施の形態の変形例におけるケーブル部での高周波電流の流れを説明するためのＣＳ断面から斜視した図
【図１０】本発明の第４の実施の形態の電気機器としてのＰＤＰのケーブル部での高周波電流の流れを説明するためのＣＳ断面から斜視した図
【図１１】第４の実施の形態の変形例におけるケーブル部での高周波電流の流れを説明するためのＣＳ断面から斜視した図
【図１２】本発明の第５の実施の形態の電気機器としてのＰＤＰのケーブル部での高周波電流の流れを説明するためのＣＳ断面から斜視した図
【図１３】本発明の第６の実施の形態の電気機器としてのＰＤＰのケーブル部での高周波電流の流れを説明するためのＣＳ断面から斜視した図
【図１４】図１３のＰＤＰについての電磁妨害波低減効果である垂直方向のノイズレベルの電界強度を示すグラフ
【図１５】従来のＰＤＰの構成を説明するための斜視図
【図１６】図１５のＰＤＰの電極構造を説明するための斜視図
【図１７】図１５のＰＤＰにおけるケーブル部での高周波電流の流れを説明するためのＣＳ断面から斜視した図
【図１８】従来のＰＤＰの筐体構成を説明するための斜視図
【符号の説明】
１１    シャーシ
１３ｂ  ドライバー駆動回路
１３ｃ  中継回路基板
１５ｃ  フレキシブルケーブル
４０    高周波信号
４１    リターン電流
４２    高周波電流経路
５０    導電性ネジ
【図１】
0003953362.tif 000002
【図２】
0003953362.tif 000003
【図３】
0003953362.tif 000004
【図４】
0003953362.tif 000005
【図５】
0003953362.tif 000006
【図６】
0003953362.tif 000007
【図７】
0003953362.tif 000008
【図８】
0003953362.tif 000009
【図９】
0003953362.tif 000010
【図１０】
0003953362.tif 000011
【図１１】
0003953362.tif 000012
【図１２】
0003953362.tif 000013
【図１３】
0003953362.tif 000014
【図１４】
0003953362.tif 000015
【図１５】
0003953362.tif 000016
【図１６】
0003953362.tif 000017
【図１７】
0003953362.tif 000018
【図１８】
0003953362.tif 000019